(57)【要約】【課題】パケットロスに起因してバッファ内に累積した不規則なデータによってデータ受信が停止することなく、長期間安定して映像伝送ができること。【解決手段】ベストエフォート型のネットワークを介して受信した符号化データを一時記憶するバッファ４２１と、バッファ４２１に一時記憶した映像／音声データを順次読み出して復号化処理するＭＰＥＧデコーダ４３とを有するデジタル映像伝送システム１のクライアント装置４０であって、バッファリセット部４２２は、バッファ４２１をリセットし、累積データ量検出部４２３は、バッファ４２１に累積したデータ量を検出し、制御部４２４は、累積データ量検出部４２３により検出されたデータ量が所定量以上となった場合に、バッファリセット部４２２にバッファ４２１をリセットするよう指示制御する。【選択図】        図１
2005229185.tif 000002
【特許請求の範囲】
【請求項１】
受信した符号化データを一時記憶するバッファと、前記バッファに一時記憶した符号化データを順次読み出して復号化処理するデコーダとを有する伝送装置であって、
前記バッファをリセットするバッファリセット手段と、
前記バッファに一時記憶した累積したデータ量を検出する累積データ量検出手段と、
前記累積データ量検出手段により検出されたデータ量が所定量以上となった場合に、前記バッファリセット手段に前記バッファをリセットするよう指示制御する制御手段と、
を備えたことを特徴とする伝送装置。
【請求項２】
受信した符号化データを一時記憶するバッファと、前記バッファに一時記憶した符号化データを順次読み出して復号化処理するデコーダとを有する伝送装置であって、
前記バッファをリセットするバッファリセット手段と、
時刻を計時するタイマと、
前記タイマにより計時された時刻が所定の時刻となった場合に、前記バッファリセット手段に前記バッファをリセットするよう指示制御する制御手段と
を備えたことを特徴とする伝送装置。
【請求項３】
前記バッファリセット手段は、前記バッファに対する前記符号化データの入力停止並びに入力再開を所定時間内に、定期的におこなうことにより、前記バッファをリセットすることを特徴とする請求項１または２に記載の伝送装置。
【請求項４】
前記バッファリセット手段は、前記バッファに対する前記符号化データの入力停止並びに入力再開の間隔を０．５秒以内にして定期的におこなうことを特徴とする請求項３に記載の伝送装置。
【発明の詳細な説明】
【技術分野】
【０００１】
この発明は、デジタル映像伝送システムの伝送装置に関し、特に、伝送装置のバッファ内に累積した不規則なデータによってデータ受信が停止することなく、長期間安定して映像伝送ができるデジタル映像伝送システムの伝送装置に関するものである。
【背景技術】
【０００２】
近年、多量のデジタル映像データを伝送するデジタル映像伝送システムの技術基盤が整ってきた。例えば、光ファイバーネットワークを用いると多量のデジタル映像／音声データを安価に伝送できる。一方、リアルタイム性の必要な映像伝送では、瞬時に宛先のアドレスに到達できなかったデジタル映像／音声データのパケットは、パケットロスとして破棄され、再送されないＵＤＰ／ＩＰプロトコルが用いられている。特に、ベストエフォート型のネットワークを用いたデジタル映像伝送システムは、ネットワークのデータ伝送の品質が保証されていないので、ネットワークの輻輳時に著しいパケットロスが生じ、データ伝送の輻輳状態が回復した後もデータ伝送が回復しないことがまれに起こる。その結果、デジタル映像伝送システムは、長期間安定して映像伝送することができなかった。
【０００３】
例えば、非特許文献１では、光ファイバーを用いたインターネット通信においてＭＰＥＧ２の映像データを伝送する場合に、少数のパケットロスが発生しても伝送装置のエラー補正機能によって受信映像を乱さず、鮮明な映像を表示できる伝送装置に関する従来技術が開示されている。
【０００４】
【非特許文献１】ＫＵＢＯＴＥＫ、“ＭＮＢ７２０概要”、［平成１５年１２月１５日検索］、インターネット＜ＵＲＬ：ｈｔｔｐ：／／ｗｗｗ．ｋｕｂｏｔｅｋ．ｃｏｍ／ｍｅｄｉａｎｅｔ／ｐｒｏｄｕｃｔ／ｍｎｂ７２０／ｉｎｄｅｘ．ｈｔｍ＞
【発明の開示】
【発明が解決しようとする課題】
【０００５】
非特許文献１の従来技術では、ＭＰＥＧ２の映像データを伝送する場合に、少数のパケットロスが発生しても伝送装置のエラー補正機能によって受信映像を乱さず、鮮明な映像を表示できるが、多数のパケットロスが生じた場合には伝送装置のエラー補正機能が働かず、さらにはデータ受信自体が停止し、長期間安定して映像伝送することができないという課題を解決することができなかった。
【０００６】
この発明は、上述した従来技術による問題点を解消するためになされたものであり、伝送装置のバッファ内に累積した不規則なデータによってデータ受信が停止することなく、長期間安定して映像伝送ができるデジタル映像伝送システムの伝送装置を提供することを目的とする。
【課題を解決するための手段】
【０００７】
上述した課題を解決し、目的を達成するため、請求項１の発明に係る伝送装置は、受信した符号化データを一時記憶するバッファと、前記バッファに一時記憶した符号化データを順次読み出して復号化処理するデコーダとを有する伝送装置であって、前記バッファをリセットするバッファリセット手段と、前記バッファに一時記憶した累積したデータ量を検出する累積データ量検出手段と、前記累積データ量検出手段により検出されたデータ量が所定量以上となった場合に、前記バッファリセット手段に前記バッファをリセットするよう指示制御する制御手段と、を備えたことを特徴とする。
【０００８】
この請求項１の発明によれば、バッファをリセットし、バッファに一時記憶した累積したデータ量を検出し、検出されたデータ量が所定量以上となった場合に、バッファをリセットするよう指示制御することとしたので、伝送装置のバッファ内に累積した不規則なデータによってデータ受信が停止することなく、長期間安定して映像伝送ができる。
【０００９】
また、請求項２の発明に係る伝送装置は、請求項１の発明において、受信した符号化データを一時記憶するバッファと、前記バッファに一時記憶した符号化データを順次読み出して復号化処理するデコーダとを有する伝送装置であって、前記バッファをリセットするバッファリセット手段と、時刻を計時するタイマと、前記タイマにより計時された時刻が所定の時刻となった場合に、前記バッファリセット手段に前記バッファをリセットするよう指示制御する制御手段とを備えたことを特徴とする。
【００１０】
この請求項２の発明によれば、タイマにより計時された時刻が所定の時刻となった場合に、バッファをリセットすることとしたので、伝送装置のバッファ内に累積した不規則なデータによってデータ受信が停止することなく、長期間安定して映像伝送ができる。
【００１１】
また、請求項３の発明に係る伝送装置は、請求項１または２の発明において、前記バッファリセット手段は、前記バッファに対する前記符号化データの入力停止並びに入力再開を所定時間内に、定期的におこなうことにより、前記バッファをリセットすることを特徴とする。
【００１２】
この請求項３の発明によれば、バッファに対する符号化データの入力停止並びに入力再開を所定時間内に、定期的におこなうことにより、バッファをリセットすることとしたので、伝送装置のバッファ内に累積した不規則なデータによってデータ受信が停止することなく、長期間安定して映像伝送ができる。
【００１３】
また、請求項４の発明に係る伝送装置は、請求項３の発明において、前記バッファリセット手段は、前記バッファに対する前記符号化データの入力停止並びに入力再開の間隔を０．５秒以内にして定期的におこなうことを特徴とする。
【００１４】
この請求項４の発明によれば、バッファに対する符号化データの入力停止並びに入力再開の間隔を０．５秒以内にして定期的におこなうこととしたので、入力の停止による符号化データの受信映像の乱れが感知されにくいようにすると共に、伝送装置のバッファ内に累積した不規則なデータによってデータ受信が停止することなく、長期間安定して映像伝送ができる。
【発明の効果】
【００１５】
請求項１の発明によれば、バッファをリセットし、バッファに一時記憶した累積したデータ量を検出し、検出されたデータ量が所定量以上となった場合に、バッファをリセットするよう指示制御するよう構成したので、伝送装置のバッファ内に累積した不規則なデータによってデータ受信が停止することなく、長期間安定して映像伝送ができるという効果を奏する。
【００１６】
また、請求項２の発明によれば、タイマにより計時された時刻が所定の時刻となった場合に、バッファをリセットするよう構成したので、伝送装置のバッファ内に累積した不規則なデータによってデータ受信が停止することなく、長期間安定して映像伝送ができるという効果を奏する。
【００１７】
また、請求項３の発明によれば、バッファに対する前記符号化データの入力停止並びに入力再開を所定時間内に、定期的におこなうことにより、バッファをリセットするよう構成したので、伝送装置のバッファ内に累積した不規則なデータによってデータ受信が停止することなく、長期間安定して映像伝送ができるという効果を奏する。
【００１８】
また、請求項４の発明によれば、バッファに対する符号化データの入力停止並びに入力再開の間隔を０．５秒以内にして定期的におこなうよう構成したので、入力の停止による符号化データの受信映像の乱れが感知されにくいようにすると共に、伝送装置のバッファ内に累積した不規則なデータによってデータ受信が停止することなく、長期間安定して映像伝送ができるという効果を奏する。
【発明を実施するための最良の形態】
【００１９】
以下に添付図面を参照して、この発明に係るデジタル映像伝送システムを以下の実施例１、２について詳細に説明する。実施例１では、デジタル映像伝送システムのクライアント装置のバッファをリセットする場合について説明する。また、実施例２では、デジタル映像伝送システムのクライアント装置のバッファに対するデジタル映像／音声データの入力停止並びに入力再開を所定時間内に、定期的に行うことによりバッファをリセットする場合について説明する。
【実施例１】
【００２０】
本実施例１では、デジタル映像伝送システムのクライアント装置のバッファをリセットする場合について説明する。ここでは、（１）クライアント装置の概要と特徴、（２）デジタル映像伝送システムの構成、（３）クライアント装置のバッファ内の累積データ量を検出してバッファをリセットするバッファリセット手順、（４）クライアント装置のバッファ内の累積データを定期的にリセットするバッファリセット手順の順番に説明する。
【００２１】
（１）クライアント装置の概要と特徴
まず、図１を参照して、実施例１のデジタル映像伝送システムのクライアント装置の概要と特徴について説明する。図１は、実施例１に係るデジタル映像伝送システムの構成を示す機能ブロック図である。同図に示すように、実施例１のデジタル映像伝送システム１のクライアント装置４０は、ベストエフォート型のネットワークを介してサーバ装置２０で符号化された映像／音声データを受信し、一時記憶するバッファ４２１と、バッファ４２１に一時記憶した映像／音声データを順次読み出して復号化処理するＭＰＥＧデコーダ４３とを有するデコーダ装置であって、バッファ４２１内に累積した不規則なデータによってデータ受信が停止することなく、長期間安定して映像伝送ができることを特徴とする。なお、ベストエフォート型のネットワークとは、多量の映像／音声データを安価に伝送できるが、データ伝送の品質を保証しない、帯域保証のないネットワークである。
【００２２】
具体的には、バッファリセット部４２２は、バッファ４２１をリセットし、累積データ量検出部４２３は、バッファ４２１に一時記憶した累積したデータ量を検出し、制御部４２４は、累積データ量検出部４２３により検出されたデータ量が所定量以上、例えば、バッファ４２１の容量の２％（または５％）以上となった場合に、バッファリセット部４２２にバッファ４２１をリセットするよう指示制御することとしたので、バッファ４２１内に累積した不規則なデータによってデータ受信が停止することなく、長期間安定して映像伝送ができる。
【００２３】
（２）デジタル映像伝送システムの構成
図１に示すように、デジタル映像伝送システム１は、映像撮影カメラ２、サーバ装置２０、ルータ２５、３５、ネットワーク３０、クライアント装置４０、映像表示装置４を有する。
【００２４】
映像撮影カメラ２は、映像を撮影し、映像／音声のアナログ信号をサーバ装置２０に出力するビデオカメラである。また、サーバ装置２０は、映像撮影カメラ２から出力された映像／音声のアナログ信号を入力して、デジタル化および圧縮符号化、例えば、ＭＰＥＧ２などの圧縮符号化をした後、ＵＤＰ／ＩＰプロトコルにしたがってＩＰパケットに変換し、クライアント装置４０に送信するエンコーダ装置である。なお、ＵＤＰ／ＩＰプロトコルとは、ＩＰパケットが宛先に到達する保障がない通信プロトコルであり、ＩＰパケットが宛先に到達しない場合の処理は上位層のアプリケーションが決定しなければならない。
【００２５】
ルータ２５、３５は、ＩＰパケットを転送する経路制御装置である。また、ネットワーク３０は、ＵＤＰ／ＩＰプロトコルにしたがってＩＰパケットを転送するベストエフォート型のネットワークであり、例えば、各種インターネットサービスである。また、クライアント装置４０は、ネットワーク３０、ルータ２５，３５を経由して送信されてきた圧縮符号化された映像／音声データのＩＰパケットを受信し、復号化およびアナログ化した映像／音声を映像表示装置４に出力するデコーダ装置である。また、映像表示装置４は、クライアント装置４０から出力された映像／音声のアナログ信号を表示する装置であり、具体的には、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）である。
【００２６】
さらに詳細について説明すると、サーバ装置２０は、ＭＰＥＧエンコーダ２１、サーバ制御ソフト２２、ＮＩＣ（Ｎｅｔｗｏｒｋ  Ｉｎｔｅｆａｃｅ  Ｃａｒｄ）２３を有する。ＭＰＥＧエンコーダ２１は、映像撮影カメラ２から出力された映像／音声のアナログ信号をデジタル化した後に圧縮符号化して、サーバ制御ソフト２２に出力する装置である。また、サーバ制御ソフト２２は、サーバ装置２０全体を制御する制御ソフトであり、バッファ２２１を有する。バッファ２２１は、ＭＰＥＧエンコーダ２１で圧縮符号化された映像／音声データを一時的に保持するデータ保持部である。また、ＮＩＣ２３は、サーバ制御ソフト２２によってＩＰパケットに変換された映像／音声データをネットワーク３０を経由してクライアント装置４０に送信する。
【００２７】
クライアント装置４０は、ＮＩＣ４１、クライアント制御ソフト４２、ＭＰＥＧデコーダ４３、タイマ４４を有する。ＮＩＣ４１は、サーバ装置２０から圧縮符号化された映像／音声データをＩＰパケットとして受信する。
【００２８】
クライアント制御ソフト４２は、クライアント装置４０全体を制御する制御ソフトであり、ＮＩＣ４１で受信したＩＰパケットから圧縮符号化された映像／音声データを取り出して、ＭＰＥＧデコーダ４３に出力する。また、バッファ４２１、バッファリセット部４２２、累積データ量検出部４２３、制御部４２４を有する。バッファ４２１は、ＮＩＣ４１で受信したＩＰパケットから取り出された圧縮符号化された映像／音声データを一時的に保持する記憶部である。
【００２９】
バッファリセット部４２２は、バッファ４２１をリセットする処理部である。また、累積データ量検出部４２３は、バッファ４２１に一時記憶した累積したデータ量、すなわち累積データ量を検出する処理部である。また、制御部４２４は、累積データ量検出部４２３により検出された累積データ量が所定量以上、例えば、バッファ４２１の容量の２％（または５％）以上となった場合に、バッファリセット部４２２にバッファ４２１をリセットするよう指示制御する。または、制御部４２４は、タイマ４４により計時された時刻が所定の時刻、例えば、１２時間となった場合に、バッファリセット部４２２にバッファ４２１をリセットするよう指示制御する。
【００３０】
ＭＰＥＧデコーダ４３は、バッファ４２１から入力した圧縮符号化された映像／音声データを復号化、アナログ化し、映像表示装置４に出力する処理部である。また、タイマ４４は、時刻を計時するタイマである。
【００３１】
（３）クライアント装置のバッファ内の累積データ量を検出してバッファをリセットする    バッファリセット手順
次に、図２を参照して、クライアント装置４０のバッファ４２１内の累積データ量を検出してバッファ４２１をリセットするバッファリセット手順について説明する。図２は、クライアント装置４０のバッファ４２１内の累積データ量を検出してバッファ４２１をリセットするバッファリセット手順を示すフローチャートである。
【００３２】
同図に示すように、累積データ量検出部４２３は、バッファ４２１内の累積データ量を検出する（ステップＳ２００１）。そして、制御部４２４は、累積データ量検出部４２３に記憶された累積データ量が所定のデータ量以上、例えば、バッファ４２１の容量の２％（または５％）以上であるか否かを調べる（ステップＳ２００２）。
【００３３】
その結果、累積データの量が所定のデータ量未満である場合は（ステップＳ２００２否定）、制御部４２４は、本手順を終了する。一方、累積データ量が所定のデータ量以上である場合は（ステップＳ２００２肯定）、制御部４２４は、バッファリセット部４２２に指示制御して、バッファ４２１をリセットする（ステップＳ２００３）。
【００３４】
以上のように、バッファリセット部４２２は、バッファをリセットし、累積データ量検出部４２３は、バッファに一時記憶した累積したデータ量を検出し、制御部４２４は、累積データ量検出部４２３によって検出されたデータ量が所定量以上となった場合に、バッファリセット部４２２にバッファ４２１をリセットするよう指示制御することとしたので、クライアント装置４０のバッファ４２１内に累積した不規則なデータによってデータ受信が停止することなく、長期間安定して映像伝送ができる。
【００３５】
（４）クライアント装置のバッファ内の累積データを定期的にリセットするバッファリセ    ット手順
次に、図３を参照して、クライアント装置４０のバッファ４２１内の累積データを定期的にリセットするバッファリセット手順について説明する。図３は、クライアント装置４０のバッファ４２１内の累積データを定期的にリセットするバッファリセット手順を示すフローチャートである。
【００３６】
同図に示すように、タイマ４４は、時刻を計時する（ステップＳ３００１）。そして、制御部４２４は、所定の時刻、例えば、１２時間であるか否かを調べる（ステップＳ３００２）。その結果、所定の時刻でない場合は（ステップＳ３００２否定）、制御部４２４
は、ステップＳ３００１に戻って、タイマ４４は、時刻の計時を継続する。
【００３７】
一方、所定の時刻である場合は（ステップＳ３００２肯定）、タイマ４４は、時刻の計時をリセットする（ステップＳ３００３）。そして、制御部４２４は、バッファリセット部４２２に指示制御して、バッファ４２１をリセットする（ステップＳ３００４）。
【００３８】
以上のように、バッファリセット部４２２は、バッファ４２１をリセットし、タイマ４４は、時刻を計時し、制御部４２４は、タイマ４４により計時された時刻が所定の時刻となった場合に、バッファリセット部４２２にバッファをリセットするよう指示制御することとしたので、クライアント装置４０のバッファ４２１内に累積した不規則なデータによってデータ受信が停止することなく、長期間安定して映像伝送ができる。
【実施例２】
【００３９】
ところで、上記の実施例１では、デジタル映像伝送システムのクライアント装置４０のバッファ４２１をリセットする場合について説明したが、本発明はこれに限定されるものではなく、デジタル映像伝送システムのクライアント装置４０のバッファ４２１に対するデジタル映像／音声データの入力停止並びに入力再開を所定時間内に行うことによりバッファをリセットする場合に適用することができる。本実施例２では、デジタル映像伝送システムのクライアント装置のバッファに対するデジタル映像／音声データの入力停止並びに入力再開を所定時間内に、定期的に行うことによりバッファをリセットする場合について説明する。ここでは、（１）デジタル映像伝送システムの構成、（２）クライアント装置のバッファに対する映像／音声データの入力停止並びに入力再開を所定時間内に、定期的に行うバッファリセット手順の順番に説明する。なお、実施例１と共通な内容については説明を省略する。
【００４０】
（１）デジタル映像伝送システムの構成
まず、図４を参照して、実施例２のデジタル映像伝送システム１ａの構成について説明する。図４は、実施例２のデジタル映像伝送システム１ａの構成を示す機能ブロック図である。同図に示すように、図１の実施例１の機能ブロック図との相違は、クライアント装置４０ａの入力制御部４２５であるので、入力制御部４２５について説明する。
【００４１】
入力制御部４２５は、バッファに対する映像／音声データの入力停止並びにバッファに対する映像／音声データの入力再開を所定時間内におこなう処理部である。入力制御部４２５が映像／音声データの入力停止している間に、ＭＰＥＧデコーダ４３がバッファ４２１から累積データをデコードして排出し、結果的に、バッファ４２１をリセットする。
【００４２】
このように、入力制御部４２５は、バッファ４２１に対する映像／音声データの入力停止並びにバッファ４２１に対する映像／音声データの入力再開を所定時間内におこなうことにより、バッファ４２１をリセットすることとしたので、クライアント装置４０ａのバッファ４２１内に累積した累積データによってデータ受信が停止することなく、長期間安定して映像伝送ができる。
【００４３】
（２）クライアント装置のバッファに対する映像／音声データの入力停止並びに入力再開を所定時間内に、定期的に行うバッファリセット手順
次に、図５を参照して、クライアント装置４０ａのバッファ４２１に対する映像／音声データの入力停止並びに入力再開を所定時間内に、定期的に行うバッファリセット手順について説明する。図５は、クライアント装置４０ａのバッファ４２１に対する映像／音声データの入力停止並びに入力再開を所定時間内に、定期的に行うバッファリセット手順を示すフローチャートである。
【００４４】
同図に示すように、タイマ４４は、時刻を計時する（ステップＳ６００１）。そして、制御部４２４は、所定の時刻、例えば、１２時間であるか否かを調べる（ステップＳ６００２）。その結果、所定の時刻でない場合は（ステップＳ６００２否定）、制御部４２４は、ステップＳ６００１に戻って、タイマ４４は、時刻の計時を継続する。
【００４５】
一方、所定の時刻である場合は（ステップＳ６００２肯定）、タイマ４４は、時間の計時をリセットする（ステップＳ６００３）。そして、制御部４２４は、入力制御部４２５に指示制御し、映像／音声データの入力を停止する（ステップＳ６００４）。その間、ＭＰＥＧデコーダ４３は、バッファ４２１に累積された映像／音声データを排出する。さらに、制御部４２４は、入力制御部４２５に指示制御し、所定時間内、例えば、０．５秒以内で映像／音声データの入力を再開する（ステップＳ６００５）。
【００４６】
以上のように、入力制御部４２５は、バッファ４２１に対する映像／音声データの入力停止並びにバッファ４２１に対する映像／音声データの入力再開を所定時間内に、定期的におこなうことにより、バッファ４２１をリセットすることとしたので、タイマ４４は、時刻を計時し、制御部４２４は、タイマ４４により計時された時刻が所定の時刻となった場合に、入力制御部４２５にバッファ４２１をリセットするよう指示制御することができる。したがって、クライアント装置４０ａのバッファ４２１内に累積した不規則なデータによってデータ受信が停止することなく、長期間安定して映像伝送ができる。
【００４７】
また、入力制御部４２５は、バッファ４２１に対する映像／音声データの入力停止並びにバッファ４２１に対する映像／音声データの入力再開を０．５秒以内にして定期的におこなうこととしたので、入力の停止による映像／音声データの乱れが感知されにくいようにすると共に、クライアント装置４０ａのバッファ４２１内に累積した不規則なデータによってデータ受信が停止することなく、長期間安定して映像伝送ができる。
【００４８】
さて、これまで本発明の実施の形態について説明したが、本発明は上述した実施例以外にも、上記特許請求の範囲に記載した技術的思想の範囲内において種々の異なる実施の形態にて実施されてもよいものである。
【００４９】
例えば、実施例１，２では、映像に関するＭＰＥＧデータの伝送に適用する場合について説明したが、本発明はそれに限定されるものではなく、他の符号化データ、例えば、Ｈ．２６４データ、デジタル音声データ、あるいは今後登場する新しい符号化データの伝送に適用することができる。
【００５０】
また、実施例１，２では、本発明をクライアント装置４０に適用する場合について説明したが、本発明はそれに限定されるものではなく、サーバ装置２０に適用することができる。すなわち、ＭＰＥＧエンコーダから出力される符号化データのバグがサーバ装置２０のバッファに累積し、デジタル映像伝送システムの安定な動作を阻害する場合に、本発明を適用することができる。
【００５１】
また、実施例１、２では、映像撮影カメラ２から出力された映像／音声データをサーバ装置２０で圧縮符号化し、伝送する場合について説明したが、本発明はそれに限定されるものではなく、ビデオ映像データ再生装置、例えば、ＤＶＤ再生装置から出力された映像／音声データを圧縮符号化し、伝送する場合に適用することができる。
【産業上の利用可能性】
【００５２】
以上のように、本発明は、デジタル映像伝送システムの伝送装置に適している。
【図面の簡単な説明】
【００５３】
【図１】実施例１に係るデジタル映像伝送システムの構成を示す機能ブロック図である。
【図２】クライアント装置のバッファ内の累積データを検出してバッファをリセットするバッファリセット手順を示すフローチャートである。
【図３】クライアント装置のバッファ内の累積データを定期的にリセットするバッファリセット手順を示すフローチャートである。
【図４】実施例２のデジタル映像伝送システムの構成を示す機能ブロック図である。
【図５】クライアント装置のバッファに対する映像／音声データの入力停止並びに入力再開を所定時間内に、定期的に行うバッファリセット手順を示すフローチャートである。
【符号の説明】
【００５４】
１，１ａ    デジタル映像伝送システム
２    映像撮影カメラ
４    映像表示装置
２０    サーバ装置
２１    ＭＰＥＧエンコーダ
２２    サーバ制御ソフト
２３，４１    ＮＩＣ
２５，３５    ルータ
３０    ネットワーク
４０，４０ａ    クライアント装置
４２，４２ａ    クライアント制御ソフト
４３    ＭＰＥＧデコーダ
４４    タイマ
２２１，４２１    バッファ
４２２    バッファリセット部
４２３    累積データ量検出部
４２４    制御部
４２５    入力制御部
【図１】
2005229185.tif 000003
【図２】
2005229185.tif 000004
【図３】
2005229185.tif 000005
【図４】
2005229185.tif 000006
【図５】
2005229185.tif 000007